(57)【特許請求の範囲】
【請求項１】
基地局であって、
予め定められた特定端末から送信されるひとつ又は複数のデータを、前記基地局が含まれるセルを持つ他の基地局へ送信されるまで保持する通信データ保持部と、
前記基地局と前記他の基地局間の通信品質に対する送信データ量、前記通信データ保持部による保持データ量、データの保持時間を記憶する管理テーブルと、
特定端末が送信するデータに含まれる特定端末識別子により、データを送信してきた端末が特定端末か否かを判定する通信判定部と、
前記管理テーブルに、特定端末毎に、特定端末識別子、前記送信データ量、前記保持データ量、前記保持時間を記憶し、タイマを、特定端末毎に含むデータ保持／送信判定部と、
を備え、
前記データ保持／送信判定部は、
前記通信判定部により、データを送信してきた端末が特定端末と判定された場合、前記特定端末の前記タイマをスタートさせ、
前記特定端末の前記タイマによる保持時間及び／又は前記通信データ保持部による前記特定端末の保持データ量に基づき、前記データを保持するか送信するかを判定し、
前記データを保持すると判定した場合は、前記通信データ保持部に該データを保持し、前記管理テーブルに、特定端末毎に、前記特定端末の特定識別子、前記送信データ量、前記通信データ保持部で保持している前記特定端末の保持データ量、前記特定端末の前記タイマによる保持時間を記憶し、
一方、前記データを送信すると判定した場合は、前記通信データ保持部に保持された前記特定端末のひとつ又は複数の保持データを前記他の基地局へ送信し、
前記基地局が、前記特定端末のデータを受信し、前記通信データ保持部に保持された前記特定端末のひとつ又は複数の保持データを前記他の基地局へ送信する前に、前記基地局が他の特定端末から他のデータを受信した場合、
前記通信判定部により、前記他のデータを送信してきた端末が特定端末と判定された場合、前記他の特定端末の前記タイマをスタートさせ、
前記他の特定端末の前記タイマによる保持時間及び／又は前記通信データ保持部による前記他の特定端末の保持データ量に基づき、前記他のデータを保持するか送信するかを判定し、
前記他のデータを保持すると判定した場合は、前記通信データ保持部に該他のデータを保持し、前記管理テーブルに、特定端末毎に、前記他の特定端末の特定識別子、前記送信データ量、前記通信データ保持部で保持している前記他の特定端末の保持データ量、前記他の特定端末の前記タイマによる保持時間を記憶し、
一方、前記他のデータを送信すると判定した場合は、前記通信データ保持部に保持された前記他の特定端末のひとつ又は複数の保持データを前記他の基地局へ送信することを特徴とする基地局。
【請求項２】
基地局であって、
予め定められた特定端末から送信されるひとつ又は複数のデータを、前記基地局が含まれるセルを持つ他の基地局へ送信されるまで保持する通信データ保持部と、
前記基地局と前記他の基地局間の通信品質に対する送信データ量、前記通信データ保持部による保持データ量、データの保持時間を記憶する管理テーブルと、
特定端末が送信するデータに含まれる特定端末識別子により、データを送信してきた端末が特定端末か否かを判定する通信判定部と、
データ保持／送信判定部と、
を備え、
前記データ保持／送信判定部は、
前記通信判定部により、データを送信してきた端末が特定端末と判定された場合、タイマをスタートさせ、
前記タイマによる保持時間及び／又は前記通信データ保持部による保持データ量に基づき、前記データを保持するか送信するかを判定し、
前記データを保持すると判定した場合は、前記通信データ保持部に該データを保持し、前記管理テーブルに、前記送信データ量、前記通信データ保持部で保持しているデータの保持データ量、前記タイマによる保持時間を記憶し、
一方、前記データを送信すると判定した場合は、前記通信データ保持部に保持された前記特定端末のひとつ又は複数の保持データを前記他の基地局へ送信し、
前記管理テーブルに記憶された保持データ量が、前記管理テーブルに記憶された前記送信データ量を超えると、前記他の基地局へ、前記通信データ保持部に保持された前記ひとつ又は複数の保持データを送信すると判定する、ことを特徴とする基地局。
【発明の詳細な説明】
【技術分野】
【０００１】
本発明は、基地局、無線通信システムおよび方法に係り、特に、セルラ無線通信における基地局、無線通信システムおよび方法に関する。
【背景技術】
【０００２】
セルラ無線通信システムにおいて、移動端末は、移動体端末毎にいずれかの基地局と接続し、データ通信を行う。また、近年移動端末の種別として、多様で膨大な数のＭ２Ｍ（Ｍａｃｈｉｎｅ  Ｔｏ  Ｍａｃｈｉｎｅ）端末が急増すると予想されている。そして、Ｍ２Ｍ端末の増大に起因して、基地局へ接続する端末数が増大すると想定される。
一方、セルラ通信システムの標準化団体である３ＧＰＰ（３ｒｄ  Ｇｅｎｅｒａｔｉｏｎ  Ｐｅｒｔｎｅｒｓｈｉｐ  Ｐｒｏｊｅｃｔ）では、セルラ通信システムの一つであるＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のシステムとして、サービスエリアが広いマクロ基地局内に、ドナー基地局と無線接続し、小さいサービスエリアを移動端末に提供する基地局（以降、リレー基地局と言う）を設置して、移動端末をリレー基地局に接続させる事で、マクロ基地局の端末接続数の削減が実現できるアーキテクチャを規定しており、その詳細が非特許文献1に記載されている。
【０００３】
なお、以降では、リレー基地局を収容するマクロ基地局をドナー基地局と言う。
Ｍ２Ｍ端末は、携帯電話に代表される一般的な端末に比較して、１度のデータ通信量が少ない、という特徴がある。セルラ無線通信では、通信データをリソースブロックという固定的に決まっている無線リソース単位にデータ割り当て送信する。したがって、Ｍ２Ｍ端末をリレー基地局に集約して収容したとしても、莫大な数のＭ２Ｍ端末が個別に１つのリソースブロックで送信可能なデータ量以下のデータを頻繁に断続的にデータ送信を行うと、リソースブロック使用率が増大する事で、ドナー基地局のデータ通信量が増大し、ドナー基地局の無線リソースを圧迫する事で、一般的な端末の通信品質が劣化する可能性がある。
【０００４】
そこで、無線リソースを効率よく制御する技術が検討されている。
例えば、特許文献1では、リレー基地局が接続する全端末の伝送量を示すトラヒック量を含むリソース割当て要求を基地局へ送信し、基地局が受信したトラヒック量に基づいて、Ｒ−ＰＵＳＣＨ、すなわち端末から基地局へ送信するデータへの無線リソースを適切に割当てる制御方式が考えられている。
【先行技術文献】
【特許文献】
【０００５】
【特許文献１】特開２０１１―９７３４０号公報
【非特許文献】
【０００６】
【非特許文献１】３ＧＰＰ  ３６．３００  Ｖ１２．０．０                        ４．７  Ｓｕｐｏｒｔ  ｆｏｒ  ｒｅｌａｙｉｎｇ
【発明の概要】
【発明が解決しようとする課題】
【０００７】
Ｍ２Ｍ端末増大に起因して、ドナー基地局の無線リソースが圧迫されると、一般的な端末の通信品質が劣化してしまう場合が想定される。
このようなＭ２Ｍ端末、ドナー基地局、リレー基地局を用いた通信環境において、非特許文献１に記載されているリレー基地局を適用する事が可能かもしれない。非特許文献では、リレー基地局を用いて、ドナー基地局の接続端末数をリレー基地局に集約する事でドナー基地局の接続端末数を削減し、一般的な端末の通信品質を向上させる。しかしながら、莫大な数のＭ２Ｍ端末が少ないデータ量で頻繁に断続的に通信を行う場合、１リソースブロックあたりで伝送するデータ量が少ないため、無線リソースの利用効率が下がってしまい、一般的な端末の無線通信品質を保つ事ができるとは限らない。
【０００８】
また、特許文献１では、リソースブロックの割り当て数の制御を行うが、１リソースブロックあたりで伝送するデータ量最適に制御するとは限らない。
本発明は、以上の点に鑑み、Ｍ２Ｍ端末、ドナー基地局、リレー基地局を用いた通信エリア環境を考慮し、リレー基地局がＭ２Ｍ端末の送信するデータを集約して、ドナー基地局に送信する事で、無線リソースの利用効率を改善し、無線通信品質を向上する事を目的とする。
【課題を解決するための手段】
【０００９】
本発明の第１の解決手段によると、
基地局であって、
予め定められた特定端末から送信されるひとつ又は複数のデータを、前記基地局が含まれるセルを持つ他の基地局へ送信されるまで保持する通信データ保持部と、
前記基地局と前記他の基地局間の通信品質に対する送信データ量、前記通信データ保持部による保持データ量、データの保持時間を記憶する管理テーブルと、
特定端末が送信するデータに含まれる特定端末識別子により、データを送信してきた端末が特定端末か否かを判定する通信判定部と、
データ保持／送信判定部と、
を備え、
前記データ保持／送信判定部は、
前記通信判定部により、データを送信してきた端末が特定端末と判定された場合、タイマをスタートさせ、
前記タイマによる保持時間及び／又は前記通信データ保持部による保持データ量に基づき、前記データを保持するか送信するかを判定し、
前記データを保持すると判定した場合は、前記通信データ保持部に該データを保持し、前記管理テーブルに、前記送信データ量、前記通信データ保持部で保持しているデータの保持データ量、前記タイマによる保持時間を記憶し、
一方、前記データを送信すると判定した場合は、前記通信データ保持部に保持された前記特定端末のひとつ又は複数の保持データを前記他の基地局へ送信する、
基地局が提供される。
【００１０】
本発明の第２の解決手段によると、
無線通信システムであって、
セル内の特定端末と無線通信する第１の基地局と、
前記第１の基地局をセル内に含む第２の基地局と
を備え、
前記第１の基地局は、
特定端末から送信されるひとつ又は複数のデータを、前記第２の基地局へ送信されるまで保持する通信データ保持部と、
前記第１の基地局と前記第２の基地局間の通信品質に対する送信データ量、前記通信データ保持部による保持データ量、データの保持時間を記憶する管理テーブルと、
特定端末が送信するデータに含まれる特定端末識別子により、データを送信してきた端末が特定端末か否かを判定する通信判定部と、
データ保持／送信判定部と、
を備え、
前記データ保持／送信判定部は、
前記通信判定部により、データを送信してきた端末が特定端末と判定された場合、タイマをスタートさせ、
前記タイマによる保持時間及び／又は前記通信データ保持部による保持データ量に基づき、前記データを保持するか送信するかを判定し、
前記データを保持すると判定した場合は、前記通信データ保持部に該データを保持し、前記管理テーブルに、前記送信データ量、前記通信データ保持部で保持しているデータの保持データ量、前記タイマによる保持時間を記憶し、
一方、前記データを送信すると判定した場合は、前記通信データ保持部に保持された前記特定端末のひとつ又は複数の保持データを前記第２の基地局へ送信する、
無線通信システムが提供される。
【００１１】
本発明の第３の解決手段によると、
無線通信方法であって、
特定端末が送信するデータに含まれる特定端末識別子により、データを送信してきた端末が特定端末か否かを判定し、
データを送信してきた端末が特定端末と判定された場合、タイマをスタートさせ、
前記タイマによる保持時間及び／又は通信データ保持部による保持データ量に基づき、前記データを保持するか送信するかを判定し、
前記データを保持すると判定した場合は、前記通信データ保持部に該データを保持し、管理テーブルに、自基地局と他の基地局間の通信品質に対する送信データ量、前記通信データ保持部で保持しているデータの保持データ量、前記タイマによる保持時間を記憶し、
一方、前記データを送信すると判定した場合は、前記通信データ保持部に保持された前記特定端末のひとつ又は複数の保持データを前記他の基地局へ送信する、
無線通信方法が提供される。
【発明の効果】
【００１２】
本発明によれば、以上の点に鑑み、Ｍ２Ｍ端末、ドナー基地局、リレー基地局を用いた通信エリア環境を考慮し、リレー基地局がＭ２Ｍ端末の送信するデータを集約して、ドナー基地局に送信する事で、無線リソースの利用効率を改善し、無線通信品質を向上する事ができる。
【図面の簡単な説明】
【００１３】
【図１】本発明が適用される実施の形態の無線通信システムの構成図の例
【図２】本発明が適用される実施の形態の基地局の構成図の例
【図３】本発明が適用される実施の形態の端末の構成図の例
【図４】リレー基地局がＭ２Ｍ端末を判定し、データ送信タイミングを判定して、Ｍ２Ｍ端末毎にデータまとめて送信する手順
【図５】送信データ量決定テーブルの例
【図６】Ｍ２Ｍ端末通信データ保持管理テーブルの例
【図７】Ｍ２Ｍ通信判定処理
【図８】リレー基地局からドナー基地局へデータ送信を決定する第１の方法
【図９】データ保持/送信判定処理の第１の方法
【図１０】データ保持/送信判定処理の第２の方法
【図１１】データ保持/送信判定処理の第３の方法
【図１２】リレー基地局がＭ２Ｍ端末を判定し、データ送信タイミングを判定して、Ｍ２Ｍ端末データをまとめて送信する手順
【図１３】リレー基地局からドナー基地局へデータ送信を決定する第２の方法
【図１４】Ｍ２Ｍ通信データ送信決定処理の第１の方法
【図１５】Ｍ２Ｍ通信データ送信決定処理の第２の方法
【図１６】Ｍ２Ｍ通信データ保持/送信の効果を示す図
【図１７】Ｍ２Ｍ端末通信データ保持管理テーブルの例
【発明を実施するための形態】
【００１４】
Ａ．概要
本実施の形態に係るリレー基地局は、例えば、Ｍ２Ｍ端末が送信するデータを一定時間、または一定量、もしくは一定時間かつ一定量保持して送信する。
本実施の形態では、送信する一定量を決定するための情報として、ドナー基地局とリレー基地局間の通信品質から決定されるＭＣＳ（Ｍｏｄｕｌａｔｉｏｎ  Ａｎｄ  Ｃｏｄｉｎｇ  Ｓｃｈｅｍｅ）を用いて計算をすることができる。また、本実施の形態では、このような情報から、無線リソースを効率的に利用できるデータ量を算出して、データを送信することができる。
【００１５】
本実施の形態によれば、Ｍ２Ｍ端末のデータ量をこのような手法を用いて効率的に送信することで、Ｍ２Ｍ端末以外の端末が利用可能な無線通信品質を増大させ、Ｍ２Ｍ端末の通信を行った上で、Ｍ２Ｍ端末以外の端末の通信品質を向上させる事を可能にする。
【００１６】
Ｂ．システム及び装置
本発明の実施の形態について、Ｅ−ＵＴＲＡＮを例として、図面を用いて説明するが、これに限らず、他の無線通信システムにも適用可能である。
以下でセルとは、基地局から送信される無線信号が受信可能なエリアであり、端末はいずれか一つのセルに所属してデータ通信を行うものとする。基地局は、１つないし複数のセルに対応する送受信機を具備する。また、隣接セルとは、あるセルに対して、周辺に存在する基地局の傘下のセルを含むものとし、必ずしも地理的に隣接しているセルである必要はない。また、リレー基地局は、ドナー基地局と無線接続し、リレー基地局のセル内の端末と無線接続を行い、当該端末のデータをドナー基地局へ転送する。なお、リレー基地局、ドナー基地局を例に説明するが、これに限らず、適宜の関係の基地局に適用することができる。また、Ｍ２Ｍ端末を例に説明するが、これに限らず、予め定められた適宜の特定端末に適用することができる。
【００１７】
図１は、Ｅ−ＵＴＲＡＮ無線システムの構成例を示している。無線システムは、図１に示す様に複数の基地局と複数の端末（Ｍ２Ｍ端末を含む）、およびコアネットワーク装置を備える。図１のシステムにおいて、セル１１１〜１１４はそれぞれ基地局１０１〜１０４と無線接続により、接続する端末１３１〜１３５が通信可能な範囲を示している。基地局のセル半径は、各基地局の運用形態、利用周波数、セル配置等の要因により決定される。たとえば、広いエリアをカバーすることを目的としたマクロ基地局、及びドナー基地局のセル半径は大きく、限られたエリアをカバーすることを目的としたリレー基地局のセル半径は小さい。図１のマクロ基地局１０１、１０２、ドナー基地局１０３は、ＮＷ（Ｎｅｔｗｏｒｋ）１２１を通じ、有線回線によってコアネットワーク装置１２２に接続される。図１において、端末１３１は、マクロ基地局１０１に、端末１３２は、マクロ基地局１０２に、ドナー基地局１０４は、ドナー基地局１０３に、端末１３３は、ドナー基地局１０３に、端末１３４及び端末１３５は、リレー基地局１０４を通してドナー基地局１０３に、それぞれ無線によって接続することで通信が可能となる仕組みになっている。なお、これ以降の説明において、マクロ基地局、ドナー基地局、リレー基地局とは、基地局１０１〜１０４の少なくともいずれか１つを指し、端末とは、端末１３１〜１３５のいずれか１つを指すものとする。
【００１８】
図２は、本実施の形態のリレー基地局装置の構成例を示しており、図１に示しているリレー基地局の一例である。なお、図１では、単一のセルを持つ基地局装置の構成を示しているが、前述のように、単一の基地局が複数のセルを持っていてもよい。図２において、リレー基地局は、メモリ２０１、ＣＰＵ（処理部）２０２、端末と無線通信を行うための無線インタフェース２０３、誤り訂正符号化などを行う論理回路２０４、ドナー基地局と通信を行うための無線インタフェース２０５を備えている。
【００１９】
メモリ２０１は、Ｍ２Ｍ端末通信データ保持部２２１、送信データ量決定テーブル２２２、Ｍ２Ｍ端末通信データ保持管理テーブル２２３を含む。Ｍ２Ｍ端末の通信データ保持部２２１は、Ｍ２Ｍ端末から送信されたデータをドナー基地局等に送信するまでＭ２Ｍ端末毎に又は一括して保持する。送信データ量決定テーブル２２２は、リレー基地局とドナー基地局間の通信品質情報に対する送信データ量を決定する情報を格納する。Ｍ２Ｍ端末通信データ保持管理テーブル２２３は、Ｍ２Ｍ端末毎に当該Ｍ２Ｍ端末について、送信データ量決定部２１６で決定した送信データ量、保持しているデータ量、データの保持時間情報を格納する。
【００２０】
ＣＰＵ２０２は、送信データ処理部２１１、受信データ処理部２１２、Ｍ２Ｍ通信判定部２１３、データ保持／送信判定部２１４、ドナー基地局の通信品質測定部２１５、送信データ量決定部２１６、Ｍ２Ｍ通信データ送信決定処理部２１７を含む。送信データ処理部２１１は、端末へ送信するデータ、及びドナー基地局へ送信するデータを処理する。受信データ処理部２１２は、端末から受信されるデータ、及びドナー基地局から受信するデータを処理する。Ｍ２Ｍ通信判定部２１３は、Ｍ２Ｍ端末が送信するＭ２Ｍ端末識別子を用いて、端末がＭ２Ｍ端末か否かを判定する。データ保持／送信判定部２１４は、Ｍ２Ｍ端末送信データ保持部２２１に格納しているＭ２Ｍ端末が送信したデータを、ドナー基地局へ送信するか否かを判定する。また、データ保持／送信判定部２１４は、Ｍ２Ｍ端末から送信されたデータをＭ２Ｍ端末送信データ保持部２２１に保存し、Ｍ２Ｍ端末毎に（Ｍ２Ｍ端末識別子に対応して）保持データ量と保持時間を求めて、Ｍ２Ｍ端末通信データ保持管理テーブル２２３に記憶する。ドナー基地局の通信品質測定部２１５は、ドナー基地局が送信する信号から、ドナー基地局、リレー基地局間の通信品質を測定する。送信データ量決定部２１６は、ドナー基地局の通信品質測定部２１５が測定した、ドナー基地局、リレー基地局間の通信品質情報と、送信データ量決定テーブル２２２に格納されている情報から、ドナー基地局へ送信する送信データ量を決定する。Ｍ２Ｍ通信データ送信決定処理部２１７は、時間、またはドナー基地局の無線リソース使用率からドナー基地局の無線リソース使用率を推定し、無線リソースを使用していない時にＭ２Ｍデータを送信する事を決定する（図１３参照）。なお、Ｍ２Ｍ通信データ送信決定処理部２１７は省略することができる（図８参照）。
【００２１】
図５は、送信データ量決定テーブル２２２の例を示している。同図において、リレー基地局４１３は、通信品質（ｄＢｍ）５０１のレンジ毎に、１つあるいは複数のリソースブロックで送信可能な送信データ量（Ｍｂｉｔ）情報を保持している。ここで、１つあるいは、複数のリソースブロックで送信可能なデータ量は、通信品質情報を元に以下の式で算出される。以下の式において、送信するリソースブロック数は、運用によってまたは設計上予め任意に設定される値である。また１リソースブロックで送信可能なデータ量は、例えば、１リソースブロック内に割り当てられるシンボル数である１６８と、ドナー基地局４１４とリレー基地局４１３間の通信品質情報から標準規格等で決定されるＭＣＳ（Ｍｏｄｕｒａｔｉｏｎ  ａｎｄ  Ｃｏｄｉｎｇ  Ｓｃｈｅｍｅ）の情報の値である。
【００２２】
送信データ量＝送信するリソーブロック数×１リソースブロックで送信可能なデータ量
１リソースブロックで送信可能なデータ量
＝１リソースブロック内のシンボル数×ＭＣＮの情報
【００２３】
図６は、Ｍ２Ｍ端末通信データ保持管理テーブル２２３の例を示している。同図において、リレー基地局４１３は、Ｍ２Ｍ端末がそれぞれデータを送信する際にリレー基地局４１３に通知するＭ２Ｍ端末識別子６０１それぞれについて、送信データ量決定部２１６で算出される送信データ量６０２（Ｍｂｉｔ）、Ｍ２Ｍ端末が送信したデータの保持量を保持する保持データ量（Ｍｂｉｔ）６０３、Ｍ２Ｍ端末が送信したデータの保持時間を保持する保持時間（Ｓｅｃ）６０４の情報を格納する。
【００２４】
図３は、本実施の形態のＭ２Ｍ端末装置の構成例を示しており、図１に示している端末の一例である。図３において、Ｍ２Ｍ端末は、メモリ３０１、ＣＰＵ３０２、基地局と無線通信を行うための無線インタフェース３０３、誤り訂正符号化などを行う論理回路３０４を備えている。
ＣＰＵ３０２は、送信データ処理部３１１、受信データ処理部３１２、Ｍ２Ｍ端末識別子生成部３１３を含む。送信データ処理部３１１は、基地局へ送信するデータを処理する。受信データ処理部３１２は、基地局から受信されるデータを処理する。Ｍ２Ｍ端末識別子生成部３１３は、送信するデータにＭ２Ｍ端末識別子作成して付与する処理を行う。
【００２５】
Ｃ．動作
Ｃ−１．Ｍ２Ｍ端末毎に送信する手順
図１の無線システムにおいて、リレー基地局１０４は、ドナー基地局１０３とリレー基地局１０４間の通信品質を測定し、効率的な送信データ量を算出して、Ｍ２Ｍ端末からのデータを一定量、一定時間、または一定量かつ一定時間保持してドナー基地局へ送信する。図４のシーケンス図を用いて、リレー基地局１０４は、ドナー基地局１０３とリレー基地局１０４間の通信品質を測定し、効率的な送信データ量を算出して、Ｍ２Ｍ端末からのデータを一定量、一定時間、または一定量かつ一定時間保持してドナー基地局へ送信する方法について説明する。
【００２６】
以下に、図４は、リレー基地局が、Ｍ２Ｍ端末の送信データをＭ２Ｍ端末毎に保持して、ドナー基地局へ送信する手順を示す図である。まずシーケンス４２１において、ドナー基地局４１４は、ドナー基地局４１４のセル内に滞在する、リレー基地局４１３に参照信号を送信する。シーケンス４０１で、参照信号を受信したリレー基地局４１３は、ドナー基地局の通信品質測定部２１５において、ドナー基地局４１４とリレー基地局４１３間の通信品質測定を行う。その後、シーケンス４０２で、リレー基地局４１３は、送信データ量決定部２１６において、送信データ量決定テーブル２２２にあらかじめ格納されているドナー基地局の通信品質測定部２１５で測定されたドナー基地局４１４とリレー基地局４１３間の通信品質情報（図５の通信品質（ｄＢｍ）５０１）毎に格納されている送信データ量（Ｍｂｉｔ）５０２とを比較して、当該通信品質（ｄＢｍ）に対する送信データ量を決定し、Ｍ２Ｍ端末通信データ保持管理テーブル２２３に、送信データ量（Ｍｂｉｔ）６０２として保持する。
【００２７】
その後、シーケンス４０３において、Ｍ２Ｍ端末４１２は、Ｍ２Ｍ端末識別子生成部３１３において、Ｍ２Ｍ端末識別子を生成し、送信するデータに当該識別子を付与してドナー基地局４１３へデータを送信する。Ｍ２Ｍ端末４１２からデータを受信したリレー基地局４１３は、シーケンス４０４において、Ｍ２Ｍ通信判定部２１３において、データを送信してきた端末がＭ２Ｍ端末か否かを判定する。
【００２８】
図７は、リレー基地局４１３がＭ２Ｍ通信判定部２１３で行うＭ２Ｍ通信判定処理１２０４を示すフロー図である。図７のフロー７０１において、リレー基地局４１３のＭ２Ｍ通信判定部２１３は、受信したデータにＭ２Ｍ端末識別子が付いているか否かを判定して、データを送信してきた端末がＭ２Ｍであるか否かを判定する。リレー基地局が受信したデータにＭ２Ｍ端末識別子がついている場合（７０１のＹＥＳ）、フロー７０２において、Ｍ２Ｍ通信判定部２１３は、当該端末をＭ２Ｍ端末と判定する。一方、リレー基地局が受信したデータにＭ２Ｍ端末識別子がついていない場合（７０１のＮｏ）、Ｍ２Ｍ通信判定部２１３は、フロー７０３において、当該端末をＭ２Ｍ端末では無いと判定し、フロー７０４において、当該端末が送信したデータをドナー基地局へ送信をする。
【００２９】
シーケンス４０４において、データを送信していきた端末がＭ２Ｍ端末と判定された場合、リレー基地局４１３のデータ保持／送信判定部２１４は、シーケンス４２３において、当該Ｍ２Ｍ端末のタイマをスタートさせる。なお、このタイマは、Ｍ２Ｍ端末識別子毎にＭ２Ｍ通信判定部２１３又はデータ保持／送信判定部２１４又は他に適宜設けることができる。その後、シーケンス４０５において、リレー基地局４１３は、データ保持／送信判定部２１４において、当該データを保持するか、送信するかを判定する。データ保持／送信判定部２１４は、データを保持すると判定した場合は、Ｍ２Ｍ端末通信データ保持部２２１へ当該データを保持し、Ｍ２Ｍ端末通信データ保持管理テーブル２２３に、Ｍ２Ｍ端末毎に、Ｍ２Ｍ端末識別子６０１、送信データ量決定部２１６で検出された送信データ量６０２を保持し、保持データ量６０３をＭ２Ｍ端末通信データ保持部２２１で保持しているデータ量に、保持時間６０４を当該Ｍ２Ｍ端末のデータを受信した時に開始するタイマの値（Ｍ２Ｍ端末通信データ保持部２２１で当該データを保持している時間の値）に更新する。なお、データ保持／送信判定処理の第１の方法及び第２の方法についての詳細は後述する。
【００３０】
また、リレー基地局４１３がＭ２Ｍ端末４１２のデータを受信し、当該データを保持し、当該データをドナー基地局へ送信する前に、シーケンス４０６でリレー基地局４１３が他のＭ２Ｍ端末４１１からデータを受信した場合、リレー基地局４１３は、上述と同様に、Ｍ２Ｍ端末４１１のタイマスタート（シーケンス４２４）、Ｍ２Ｍ通信判定（シーケンス４０７）、Ｍ２Ｍ端末４１２のデータ保持／送信処理（シーケンス４０８）を他のＭ２Ｍ端末４１１にも同様に実施する。なお、リレー基地局４１３は、Ｍ２Ｍ端末４１２のデータをドナー基地局へ送信する為に、シーケンス４２２でＭ２Ｍ端末４１２のデータを再度受信した場合、シーケンス４２５でデータ保持／送信判定処理を実施する。Ｍ２Ｍ端末４１１のデータを同様に再度受信した場合も同様である。
シーケンス４０９でリレー基地局４１３がデータ送信後、シーケンス４２１において、リレー基地局４１３のＣＰＵ２０２は、当該Ｍ２Ｍ端末のＭ２Ｍ端末通信データ保持部２２１、及びＭ２Ｍ端末通信データ保持管理テーブル２２３に格納しているデータ、情報をクリアし、さらに当該Ｍ２Ｍ端末のタイマをストップして値をクリアする。また、当該Ｍ２Ｍ端末のデータを受信したドナー基地局４１４は、シーケンス４１０において、コアネットワーク装置４１５へ当該Ｍ２Ｍ端末のデータを送信する。
【００３１】
図８は、ドナー基地局４１３がデータ保持／送信判定部２１４で行う、データ保持／送信判定処理（シーケンス４０５）の第１の方法を示すフロー図である。また、図１３は、ドナー基地局４１３がデータ保持／送信判定部２１３で行う、データ保持／送信判定処理の第２の方法を示すフロー図である。図８のフロー８０１、及び図１３のフロー１３０１において、データ保持／送信判定部２１４は、Ｍ２Ｍ端末が送信したデータを保持するか送信するかを判定するためのデータ保持／送信判定処理を行う（詳細は後述）。
【００３２】
Ｃ−２．データ保持／送信判定処理の詳細
データ保持／送信判定部２１４で行う、データ保持／送信判定処理８０１、及びデータ保持／送信判定処理１３０１を図９から図１１のフロー図を用いて説明する。
【００３３】
図９は、Ｍ２Ｍ端末が送信したデータを保持するか、送信するかを判定する第１の方法を示すフロー図である。第１の方法では、リレー基地局４１３がＭ２Ｍ端末のデータを初回受信時にスタートさせるタイマがスタートしてから満了するまでの一定時間保持した場合、すなわちＭ２Ｍ端末がデータを送信してきてから一定時間経過後に、ドナー基地局４１４へＭ２Ｍ端末通信データ保持部２２１に保持した当該Ｍ２Ｍ端末のデータをドナー基地局へ送信する事を決定する。図９のフロー９０１で、データ保持／送信判定部２１４は、Ｍ２Ｍデータ送信タイマが満了している場合（Ｍ２Ｍ端末通信データ保持管理テーブル２２３の保持時間６０４が一定値以上となった場合）（フロー９０１のＹＥＳ）、フロー９０２において、当該端末のデータをドナー基地局へ送信すると判定をする。一方、フロー９０１で、データ保持／送信判定部２１４は、Ｍ２Ｍデータ送信タイマが満了していない場合（Ｍ２Ｍ端末通信データ保持管理テーブル２２３の保持時間６０４が一定値以上となっていない場合）（フロー９０１のＮＯ）、当該端末のデータをドナー基地局へ送信しないと判定をする。図９の様に、本方法を適用し、Ｍ２Ｍ端末のデータを一定時間保持する事で、一度に送信するデータ量を増大させる事が可能になり、リソースブロックの使用効率が向上する事で無線リソース利用効率が向上し、Ｍ２Ｍ端末以外の端末の利用できる無線リソースが増大する事で、Ｍ２Ｍ端末以外の端末の無線品質が向上する事が可能となる、
【００３４】
図１０は、Ｍ２Ｍ端末が送信したデータを保持するか、送信するかを判定する第２の方法を示すフロー図である。第２の方法では、リレー基地局がＭ２Ｍ端末の送信データ量を送信データ量決定部２１６で決定し、Ｍ２Ｍ端末通信データ保持管理テーブル２２３で管理される送信データ量６０２以上に当該Ｍ２Ｍ端末の送信データをＭ２Ｍ端末通信データ保持部２２１に保持した場合（Ｍ２Ｍ端末通信データ保持管理テーブル２２３の保持データ量６０３が送信データ量６０２以上となった（又は、送信データ量６０２を超えた）場合）に、ドナー基地局４１４へ保持したデータを送信する。図１０のフロー１００１で、データ保持／送信判定部２１４は、図１０のフロー１００１で、Ｍ２Ｍ端末通信データ保持管理テーブル２２３の 当該Ｍ２Ｍ端末の保持データ量６０３が送信データ量６０２よりも大きい値である場合（フロー１００１のＹＥＳ）、フロー１００２において、当該端末のデータをドナー基地局へ送信すると判定をする。一方、フロー１００１で、データ保持／送信判定部２１４は、Ｍ２Ｍ端末通信データ保持管理テーブル２２３の 当該Ｍ２Ｍ端末の保持データ量６０３が送信データ量６０２よりも大きい値では無い場合（フロー１００１のＮＯ）、当該端末のデータをドナー基地局へ送信しないと判定をする。図１０の様に、本方法を適用し、Ｍ２Ｍ端末のデータを、送信データ量分保持、すなわち１つあるいは複数のリソースブロックで送信可能な分保持する事で、リソースブロックの利用効率が向上するため、無線リソース利用効率が向上する。したがって、Ｍ２Ｍ端末以外の端末が利用できる無線リソースが増大する事で、Ｍ２Ｍ端末以外の端末の無線品質が向上する事が可能となる。
【００３５】
図１１は、Ｍ２Ｍ端末が送信したデータを保持するか、送信するかを判定する第３の方法を示すフロー図である。第３の方法では、リレー基地局４１３がＭ２Ｍ端末のデータを初回受信時にスタートさせるタイマがスタートしてから満了するまでの一定時間保持した場合（Ｍ２Ｍ端末通信データ保持管理テーブル２２３の保持時間６０４が一定値以上となった場合）、またはリレー基地局がＭ２Ｍ端末のデータを送信データ量決定部２１６で決定し、Ｍ２Ｍ端末通信データ保持管理テーブル２２３で管理される送信データ量６０２以上に当該Ｍ２Ｍ端末の送信データを保持データ６０３として保持した場合に、ドナー基地局４１４へＭ２Ｍ端末通信データ保持部２２１で保持した当該Ｍ２Ｍ端末の保持データを送信する。図１１のフロー１１０１で、データ保持／送信判定部２１４は、Ｍ２Ｍデータ送信タイマが満了している場合（Ｍ２Ｍ端末通信データ保持管理テーブル２２３の保持時間６０４が一定値以上となった場合）（フロー１１０１のＹＥＳ）、フロー１１０２において、Ｍ２Ｍ端末通信データ保持部２２１にて保持している、当該Ｍ２Ｍ端末のＭ２Ｍ通信データをドナー基地局へ送信すると判定する。一方、データ保持／送信判定部２１４は、Ｍ２Ｍデータ送信タイマが満了していない場合（Ｍ２Ｍ端末通信データ保持管理テーブル２２３の保持時間６０４が一定値以上となっていない場合）（フロー１１０１のＮＯ）、フロー１１０３で、Ｍ２Ｍ端末通信データ保持管理テーブル２２３の 当該Ｍ２Ｍ端末の保持データ量６０３が送信データ量６０２よりも大きい値か否かを判定する。データ保持／送信判定部２１４は、Ｍ２Ｍ端末通信データ保持管理テーブル２２３の 当該Ｍ２Ｍ端末の保持データ量６０３が送信データ量６０２よりも大きい値である場合（フロー１１０３のＹＥＳ）、フロー１１０２において、Ｍ２Ｍ通信データをドナー基地局へ送信すると判定する。データ保持／送信判定部２１４は、Ｍ２Ｍ端末通信データ保持管理テーブル２２３の 当該Ｍ２Ｍ端末の保持データ量５０３が送信データ量５０２よりも大きい値では無い場合（フロー１１０３のＮＯ）、フロー１１０４において、Ｍ２Ｍ通信データをドナー基地局へ送信しないと判定する。図１１の様に、本方法を適用し、Ｍ２Ｍ端末のデータが、１つあるいは、複数のリソースブロックで送信可能なデータ量に達する前に一定時間経過した場合データを送信する事で、Ｍ２Ｍ端末の送信データの遅延時間を低減しつつ、無線リソースの利用効率を向上する事で、Ｍ２Ｍ端末以外の端末が利用できる無線リソースが増大する事で、Ｍ２Ｍ端末以外の端末の無線品質が向上する事が可能となる。
【００３６】
図８におけるデータ保持／送信判定処理の第１の方法では、データ保持／送信判定処理８０１後、フロー８０２において、データ保持／送信判定部２１４は、データを送信すると判定した場合（フロー８０２のＹＥＳ）、シーケンス４０９において、Ｍ２Ｍ端末通信データ保持部２２１に保持された当該Ｍ２Ｍ端末のデータをドナー基地局４１４へ送信する（フロー８０４）。また、データを送信しないと判定した場合（フロー８０２のＮＯ）フロー８０３において、データ保持／送信判定部２１４は、Ｍ２Ｍ端末通信データ保持部２２１へ当該データを保持し、Ｍ２Ｍ端末通信データ保持管理テーブル２２３に、Ｍ２Ｍ端末毎に、Ｍ２Ｍ端末識別子６０１、送信データ量決定部２１６で検出された送信データ量６０２を保持し、保持データ量６０３をＭ２Ｍ端末通信データ保持部２２１で保持しているデータ量に、保持時間６０４を当該Ｍ２Ｍ端末のデータを受信した時に開始するタイマの値（Ｍ２Ｍ端末通信データ保持部２２１で当該データを保持している時間の値）に更新し、ドナー基地局４１４に当該データを送信しない。
【００３７】
図１３におけるデータ保持／送信判定処理の第２の方法では、データ保持／送信判定処理１３０１後、フロー１３０２において、データ保持／送信判定部２１４は、データ送信すると判定した場合（フロー１３０２のＹＥＳ）、フロー１３０４において、Ｍ２Ｍ通信データ送信決定処理部２１７で、Ｍ２Ｍ通信データ送信決定処理を行う。
【００３８】
図１４は、Ｍ２Ｍ通信データ送信決定処理の第１の方法を示すフロー図である。第１の方法では、当該Ｍ２Ｍデータの送信判定がされた時刻が最繁時刻か否かを判定し、（ドナー基地局又はリレー基地局の）最繁時刻であれば、最繁時刻が終了するまでデータを保持して、最繁時刻後に当該データを送信し、最繁時刻でなければ当該データを送信する事を決定する。最繁時刻は、エリア毎にあらかじめ決定されており、例えば、トラフィックが増大する時間帯を最繁時刻とする。図１４のフロー１４０１において、Ｍ２Ｍ通信データ送信決定処理部２１７は、当該データ送信判定された時刻が最繁時刻か否かを判定する。当該データ送信判定された時刻が最繁時刻である場合（フロー１４０１のＹＥＳ）、リレー基地局４１３のＭ２Ｍ通信データ送信決定処理部２１７は、Ｍ２Ｍ端末毎に、Ｍ２Ｍ端末通信データ保持部２２１へ当該データを保持し、Ｍ２Ｍ端末通信データ保持管理テーブル２２３の保持データ量６０３をＭ２Ｍ端末通信データ保持部２２１で保持しているデータ量に、保持時間６０４情報を当該Ｍ２Ｍ端末のデータを受信した時に開始するタイマの値（Ｍ２Ｍ端末通信データ保持部２２１で当該データを保持している時間の値）に更新する。その後、フロー１４０３において、Ｍ２Ｍ通信データ送信決定処理部２１７は、最繁時刻以降となる待ちタイマをスタートさせ、最繁時刻以降となるまで、当該送信データを保持し、送信しない。Ｍ２Ｍ通信データ送信決定処理部２１７は、フロー１４０４において、最繁時刻以降となる待ちタイマが満了後、フロー１４０５において、当該Ｍ２Ｍ通信データをドナー基地局４１４へ送信する事を決定し、シーケンス４０９（図４）において、Ｍ２Ｍ端末通信データ保持部２２１に保持された当該Ｍ２Ｍ端末のデータをドナー基地局４１４へ送信する。一方、当該データ送信判定された時刻が最繁時刻ではない場合（フロー１４０１のＮＯ）、リレー基地局のＭ２Ｍ通信データ送信決定処理部２１７は、フロー１４０５において、当該データをドナー基地局４１４へ送信する事を決定し、シーケンス４０９（図４）において、Ｍ２Ｍ端末通信データ保持部２２１に保持された当該Ｍ２Ｍ端末のデータをドナー基地局４１４へ送信する。本方法を適用する事で、Ｍ２Ｍ端末以外の端末のトラフィックが集中する時刻に、Ｍ２Ｍ端末の通信データを送信しない事でＭ２Ｍ端末以外の端末が利用できる無線リソース量が増大し、当該端末の無線通信品質を向上する事が可能となる。
【００３９】
図１５は、Ｍ２Ｍ通信データ送信決定処理の第２の方法を示すフロー図である。第２の方法では、当該Ｍ２Ｍデータの送信判定がされた時に、ドナー基地局の無線リソース使用率をリレー基地局４１３がドナー基地局のＩＤ、及びドナー基地局が送受信する周波数をカンニングし、無線リソース使用率が一定値以上であれば、Ｍ２Ｍ端末以外の端末が一定量以上のデータ通信を行っていると判定し、ドナー基地局４１４の無線リソース使用率が一定値以下になるまで、当該Ｍ２Ｍデータを保持する方法である。なお、無線リソース使用率以外にもドナー基地局４１４の適宜の他の処理量を用いてもよい。図１５のフロー１５０１において、リレー基地局４１３のＭ２Ｍ通信データ送信決定処理部２１７は、ドナー基地局４１４の無線リソース使用率を算出する。その後、フロー１５０２において、Ｍ２Ｍ通信データ送信決定処理部２１７は、ドナー基地局４１４の無線リソース使用率が一定値以上であるか否かを判定する。ドナー基地局４１４の無線リソース使用率が一定値以上である場合（フロー１５０２のＹＥＳ）、リレー基地局４１３のＭ２Ｍ通信データ送信決定処理部２１７は、Ｍ２Ｍ端末毎に、Ｍ２Ｍ端末通信データ保持部２２１へ当該データを保持し、Ｍ２Ｍ端末通信データ保持管理テーブル２２３の保持データ量６０３をＭ２Ｍ端末通信データ保持部２２１で保持しているデータ量に、保持時間６０４情報を当該Ｍ２Ｍ端末のデータを受信した時に開始するタイマの値（Ｍ２Ｍ端末通信データ保持部２２１で当該データを保持している時間の値）に更新する。その後、フロー１５０４において、Ｍ２Ｍ通信データ送信決定処理部２１７は、一定値の待ちタイマをスタートさせる。Ｍ２Ｍ通信データ送信決定処理部２１７は、フロー１５０５において、一定値の待ちタイマが満了した場合、再度フロー１５０１において、ドナー基地局４１４の無線リソース使用率を算出し、フロー１５０２において、ドナー基地局４１４の無線リソース使用率が一定値以上であるか否かを判定する。ドナー基地局４１４の無線リソース使用率が一定値以上ではない場合（フロー１５０２のＮＯ）、リレー基地局のＭ２Ｍ通信データ送信決定処理部２１７は、フロー１５０６において、当該データをドナー基地局４１４へ送信する事を決定し、シーケンス４０９（図４）において、Ｍ２Ｍ端末通信データ保持部２２１に保持された当該Ｍ２Ｍ端末のデータをドナー基地局４１４へ送信する。本方法を適用する事で、リレー基地局がドナー基地局の無線リソース使用率を鑑みて、当該Ｍ２Ｍデータを送信するため、Ｍ２Ｍ端末以外の端末が使用する無線リソースを圧迫する事なく、Ｍ２Ｍデータを送信する事が可能となる。
【００４０】
Ｃ−３．Ｍ２Ｍ端末をまとめて送信する手順
また、上述では、Ｍ２Ｍ端末のデータ送信を決定するタイマ値、及び送信データ量をＭ２Ｍ端末毎に管理しているが、Ｍ２Ｍ端末をまとめて管理しても良い。Ｍ２Ｍ端末をまとめて管理する場合の手順を図１２を用いて説明する。以下に記載する処理以外の処理は、上述のＭ２Ｍ端末個別に管理をする処理と同様である。
【００４１】
図１２は、リレー基地局が、Ｍ２Ｍ端末の送信データを一括して保持し、ドナー基地局へ送信する手順を示す図である。図１２では、図４の様に端末毎にタイマの管理を行わない。図１２の例では、シーケンス１２０３において、リレー基地局１２１３は、Ｍ２Ｍ端末１２１２が初回に送信したデータを契機にして、シーケンス１２２３でＭ２Ｍ端末のタイマスタートを行い、当該タイマが満了、あるいは当該Ｍ２Ｍ端末１２１２の保持データ量が一定値以上となる前にＭ２Ｍ端末１２１１がシーケンス１２０６において、データを送信してきた場合にＭ２Ｍタイマをスタートさせない。なお、他のシーケンスにおいては、図４と同様である。
【００４２】
本方法を用いる時の、Ｍ２Ｍ端末通信データ保持管理テーブルの２２３の例を、図１７に示す。
図１７は、Ｍ２Ｍ端末をまとめて管理する場合のＭ２Ｍ端末通信データ保持管理テーブル２２３の例を示している。同図において、リレー基地局１２１３は、送信データ量決定部２１６で算出される送信データ量１７０１（Ｍｂｉｔ）、全Ｍ２Ｍ端末が送信した合計データ量を保持する保持データ量（Ｍｂｉｔ）１７０２、全Ｍ２Ｍ端末が送信したデータの保持時間を保持する保持時間（Ｓｅｃ）１７０３の情報を格納する。
また、シーケンス１２０９で行う、リレー基地局１２１３からドナー基地局１２１４へ送信するデータには、Ｍ２Ｍ端末１２１２のデータに加えて、Ｍ２Ｍ端末１２１１のデータも併せて送信する。３台以上のＭ２Ｍ端末からデータが送信された場合も同様に併せて送信する。
【００４３】
Ｄ．実施の形態の効果
図１６に、本実施の形態の効果を説明するＭ２Ｍ端末がリレー基地局を通して、ドナー基地局へデータを送信する例を示す図である。図１６において、Ｍ２Ｍ端末１６０１が、リレー基地局１６０２と通して、ドナー基地局１６０３へデータを送信している事を示している。Ｍ２Ｍ端末は、データを送信する際に、端末毎個別に割り当てられる無線リソースであるリソースブロック１６０４に、Ｍ２Ｍ端末１６０１が１回のデータ送信で送信するデータ量１６０５を、リソースブロック１６０４でリレー基地局１６０２に送信している様子を示している。また、本図では説明のために、Ｍ２Ｍ端末１６０１がリレー基地局１６０２に、合計１０個のリソースブロック１６０６を送信しているが、Ｍ２Ｍ端末１６０１がリレー基地局１６０２に送信する合計のリソースブロックはいくつでも良い。リレー基地局１６０２からドナー基地局１６０３へＭ２Ｍ端末１６０１が送信してきたデータ１６０６を転送する手法として、既存仕様１６０７、図９に示す第１の方法  １６０８、図１０に示す第２の方法  １６０９それぞれを比較して本実施の形態の効果を説明する。既存仕様１６０７では、Ｍ２Ｍ端末１６０１が送信してきたデータ１６０６を、リレー基地局１６０２で集約せず、ドナー基地局１６０３へ転送するため、リレー基地局１６０２からドナー基地局１６０３へ１０個のリソースブロックを使用してデータを送信する。一方、本実施の形態の図９に示す第１の方法  １６０８では、リレー基地局１６０２において、Ｍ２Ｍ端末１６０１が送信するデータ１６０６を一定時間１６１０保持して、ドナー基地局１６０３へ送信する。また、図１０に示す案２  １６０９では、リレー基地局１６０２において、Ｍ２Ｍ端末１６０１が送信するデータ１６０６を一定量１６１１保持して、ドナー基地局１６０３へ送信する。既存仕様１６０７では、リレー基地局１６０２から、ドナー基地局１６０３へデータを転送する際に、リソースブロックでより多くのデータを送れるのにも係らず、Ｍ２Ｍ端末１６０１からデータを受信したら、ドナー基地局１６０３へ転送するため、無線リソースの利用効率が劣る。すなわち、より多くのデータを送れるのにも係らず、データの送信をしてしまう。本実施の形態を適用した場合、第１の方法では、一定時間データを保持し、当該データをまとめてリソースブロックを用いて送信するため、無線リソースの利用効率が向上する。さらに、第２の方法では、一定量（１リソースで送信できるデータ量）をリレー基地局１６０２で保持して、ドナー基地局１６０３へ送信するため、無線リソースの利用効率を向上する事が可能となる。
【００４４】
Ｅ．付記
なお、本発明は上記した実施例に限定されるものではなく、様々な変形例が含まれている。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４５】
１０１〜１０２  マクロ基地局
１０３  ドナー基地局
１０４  リレー基地局
１１１〜１１４  セル
１２１  ＮＷ（Ｎｅｔｗｏｒｋ）
１２２  コアネットワーク装置
１３１〜１３５  端末
【図１】
0006268047.tif 000002
【図２】
0006268047.tif 000003
【図３】
0006268047.tif 000004
【図４】
0006268047.tif 000005
【図５】
0006268047.tif 000006
【図６】
0006268047.tif 000007
【図７】
0006268047.tif 000008
【図８】
0006268047.tif 000009
【図９】
0006268047.tif 000010
【図１０】
0006268047.tif 000011
【図１１】
0006268047.tif 000012
【図１２】
0006268047.tif 000013
【図１３】
0006268047.tif 000014
【図１４】
0006268047.tif 000015
【図１５】
0006268047.tif 000016
【図１６】
0006268047.tif 000017
【図１７】
0006268047.tif 000018